(57)【要約】【課題】直流電源の電圧が高い場合においても、半導体スイッチング素子の過負荷状態を防止し、インバータ回路の破壊を防止する誘導加熱装置を提供することを目的とする。【解決手段】交流電源２からの電流を検出する入力電流検出手段１２と、半導体スイッチング素子１０のエミッタ−コレクタ間の電圧を検出する電圧検出手段１３と、半導体スイッチング素子１０、１１を駆動する制御手段１４とを備え、制御手段１４は、入力電流検出手段１２の出力信号値が所定値１以上であり、かつ半導体スイッチング素子１０のエミッタ−コレクタ間電圧を検出する電圧検出手段１３の出力信号値が所定値２以上の場合に、加熱コイル９が未接続状態であると判断し、半導体スイッチング素子１０、１１の駆動を停止させる。これによって、交流電源２の電圧が高い場合においても加熱コイル９の未接続状態を検出し、インバータ回路を安全に停止させることができる。【選択図】図１
2007095533.tif 000002
【特許請求の範囲】
【請求項１】
交流電源、交流電源を全波整流する整流器および電源平滑用コンデンサを有する直流電源回路部と、この直流電源回路部に接続され、半導体スイッチング素子および加熱コイルを有するインバータ回路と、前記交流電源から供給される電流を検出する入力電流検出手段と、前記半導体スイッチング素子のエミッタ−コレクタ間の電圧を検出する電圧検出手段と、前記半導体スイッチング素子を駆動する制御手段と、電力命令値を前記制御手段に出力する操作部とを備え、前記制御手段は、所定の駆動信号出力時に前記入力電流検出手段の出力信号値が所定値１以上であり、かつ前記半導体スイッチング素子のエミッタ−コレクタ間電圧を検出する電圧検出手段の出力信号値が所定値２以上の場合に、前記加熱コイルが未接続状態であると判断し、半導体スイッチング素子の駆動を停止させる誘導加熱装置。
【請求項２】
交流電源の電圧を検出する電源電圧検知手段を備え、制御手段は、加熱コイルの未接続状態の検知に用いる、入力電流検出手段の出力信号値の判定値と、半導体スイッチング素子のエミッタ−コレクタ間電圧を検出する電圧検出手段の出力信号値の判定値を、前記電源電圧検知手段により検知した電圧に応じて変更する請求項１に記載の誘導加熱装置。
【請求項３】
制御手段は、加熱コイルの未接続状態を検知するときの、駆動信号出力の大きさを、電源電圧検知手段により検知した電圧に応じて変更する請求項２に記載の誘導加熱装置。
【請求項４】
表示部を設け、加熱コイルの未接続によってインバータ回路を停止させた場合に、表示部に表示を行うように動作する請求項１〜３のいずれか１項に記載の誘導加熱装置。
【請求項５】
操作部に報知音を発生させる発音手段を設け、加熱コイルの未接続によってインバータ回路を停止させた場合に、発音手段により報知音を発生するように動作する請求項１〜４のいずれか１項に記載の誘導加熱装置。
【請求項６】
操作部は、加熱開始キーと加熱停止キーを有し、加熱コイルの未接続によってインバータ回路を停止させた場合に、前記加熱停止キーを押した後、前記加熱開始キーを押さない限り再度インバータ回路を動作させないようにした請求項１〜５のいずれか１項に記載の誘導加熱装置。
【請求項７】
電源スイッチを設け、加熱コイルの未接続によってインバータ回路を停止させた場合に、前記電源スイッチを一度オフしない限り再度インバータ回路を動作させないようにした請求項１〜５のいずれか１項に記載の誘導加熱装置。
【請求項８】
操作部に記憶媒体を設け、記憶媒体に加熱コイルの未接続時にインバータが停止した状態を記憶させておき、電源の供給が停止した場合にも表示部に表示を行うように動作する請求項４に記載の誘導加熱装置。
【発明の詳細な説明】
【技術分野】
【０００１】
本発明は、入力電流と半導体スイッチング素子のエミッタ−コレクタ間電圧により、加熱コイルの未接続状態を検出する誘導加熱装置に関するものである。
【背景技術】
【０００２】
従来、この種、加熱コイルの未接続状態を検出する誘導加熱装置は、既に知られている（例えば、特許文献１参照）。
【０００３】
これは、図１１に示すように、直流電源１０１、チョークコイル１０２、第１、第２のコンデンサ１０３、１０４、加熱コイル１０５、第１、第２の半導体スイッチング素子１０６、１０７から構成されるインバータ回路において、加熱コイル電流検出手段１０８と、第１、第２の半導体スイッチング素子１０６、１０７を駆動する制御手段１０９と、電力指令値を制御手段１０９に出力する操作部１１０から構成される。
【０００４】
上記構成において、制御手段１０９は、加熱コイル電流検出手段１０８と、操作部１１０からの信号に基づいた第１、第２の半導体スイッチング素子１０６、１０７の駆動信号により、加熱コイル１０５の未接続状態を検知する。
【０００５】
すなわち、図１２に示すように、制御手段１０９が所定の駆動信号出力時に、加熱コイル電流検出手段１０８の出力信号が所定値以下の場合に、加熱コイル１０５が未接続状態であると判断し、第１、第２の半導体スイッチング素子１０６、１０７の駆動を停止させて、インバータ回路の破壊を防止する制御を行う。また、制御手段１０９が所定の駆動信号出力時に、加熱コイル電流検出手段１０８の出力信号が所定値超の場合には、通常動作を行う。
【特許文献１】特開２００４−３３５２９６号公報
【発明の開示】
【発明が解決しようとする課題】
【０００６】
しかしながら、前記従来の構成では、直流電源１０１の電圧が高い場合に、加熱コイル未接続状態にて制御手段１０９が第１、第２の半導体スイッチング素子１０６、１０７を駆動させた場合、第１の半導体スイッチング素子１０６に流れる電流が大きくなるため、半導体スイッチング素子が過負荷状態となり、インバータ回路が破壊してしまう。すなわち、図１３に示すように、電源電圧が２００Ｖと低い場合においては、制御手段１０９が所定の駆動信号出力時に、加熱コイル電流検出手段１０８の出力信号により、加熱コイル１０５の未接続を判定することができるが、電源電圧が２４０Ｖと高い場合においては、加熱コイル１０５が未接続状態であっても、接続状態であると誤判定してしまい、インバータ回路の破壊に至る。
【０００７】
本発明は、前記従来の課題を解決するもので、直流電源の電圧が高い場合においても加熱コイルの未接続状態を精度良く行い、半導体スイッチング素子の過負荷状態を防止し、インバータ回路の破壊を防止する誘導加熱装置を提供することを目的とする。
【課題を解決するための手段】
【０００８】
前記従来の課題を解決するために、本発明の誘導加熱装置は、交流電源から供給される電流を検出する入力電流検出手段と、半導体スイッチング素子のエミッタ−コレクタ間の電圧を検出する電圧検出手段と、半導体スイッチング素子を駆動する制御手段とを備え、制御手段は、所定の駆動信号出力時に入力電流検出手段の出力信号値が所定値１以上であり、かつ半導体スイッチング素子のエミッタ−コレクタ間電圧を検出する電圧検出手段の出力信号値が所定値２以上の場合に、前記加熱コイルが未接続状態であると判断し、半導体スイッチング素子の駆動を停止させるものである。
【０００９】
これによって、交流電源の電圧が高い場合においても加熱コイルの未接続状態を検出し、インバータ回路を安全に停止させることができる。
【発明の効果】
【００１０】
本発明の誘導加熱装置は、交流電源の電圧が高い場合においても加熱コイル未接続状態を検出し、インバータ回路を安全に停止させることができる。
【発明を実施するための最良の形態】
【００１１】
第１の発明は、交流電源、交流電源を全波整流する整流器および電源平滑用コンデンサを有する直流電源回路部と、この直流電源回路部に接続され、半導体スイッチング素子および加熱コイルを有するインバータ回路と、前記交流電源から供給される電流を検出する入力電流検出手段と、前記半導体スイッチング素子のエミッタ−コレクタ間の電圧を検出する電圧検出手段と、前記半導体スイッチング素子を駆動する制御手段と、電力命令値を前記制御手段に出力する操作部とを備え、前記制御手段は、所定の駆動信号出力時に前記入力電流検出手段の出力信号値が所定値１以上であり、かつ前記半導体スイッチング素子のエミッタ−コレクタ間電圧を検出する電圧検出手段の出力信号値が所定値２以上の場合に、前記加熱コイルが未接続状態であると判断し、半導体スイッチング素子の駆動を停止させる誘導加熱装置とすることにより、交流電源の電圧が高い場合においても加熱コイルの未接続状態を検出し、インバータ回路を安全に停止させることができる。
【００１２】
第２の発明は、特に、第１の発明において、交流電源の電圧を検出する電源電圧検知手段を備え、制御手段は、加熱コイルの未接続状態の検知に用いる、入力電流検出手段の出力信号値の判定値と、半導体スイッチング素子のエミッタ−コレクタ間電圧を検出する電圧検出手段の出力信号値の判定値を、前記電源電圧検知手段により検知した電圧に応じて変更することにより、交流電源の電圧が不安定な場合においても、加熱コイルの未接続状態を検出し、インバータ回路を安全に停止させることができる。
【００１３】
第３の発明は、特に、第２の発明において、制御手段は、加熱コイルの未接続状態を検知するときの、駆動信号出力の大きさを、電源電圧検知手段により検知した電圧に応じて変更することにより、交流電源の電圧が不安定な場合においても、加熱コイルの未接続状態を検出し、インバータ回路を安全に停止させることができる。
【００１４】
第４の発明は、特に、第１〜第３のいずれか１つの発明において、表示部を設け、加熱コイルの未接続によってインバータ回路を停止させた場合に、表示部に表示を行うように動作することにより、加熱コイル未接続時のインバータ回路停止が視覚的に分かりやすいものである。
【００１５】
第５の発明は、特に、第１〜第４のいずれか１つの発明において、操作部に報知音を発生させる発音手段を設け、加熱コイルの未接続によってインバータ回路を停止させた場合に、発音手段により報知音を発生するように動作することにより、加熱コイル未接続時のインバータ回路停止が聴覚的に分かりやすいものである。
【００１６】
第６の発明は、特に、第１〜第５のいずれか１つの発明において、操作部は、加熱開始キーと加熱停止キーを有し、加熱コイルの未接続によってインバータ回路を停止させた場合に、前記加熱停止キーを押した後、前記加熱開始キーを押さない限り再度インバータ回路を動作させないようにしたことにより、短い期間でのインバータ回路の再起動を防止し、半導体スイッチング素子への過負荷防止を行うことができる。
【００１７】
第７の発明は、特に、第１〜第５のいずれか１つの発明において、電源スイッチを設け、加熱コイルの未接続によってインバータ回路を停止させた場合に、前記電源スイッチを一度オフしない限り再度インバータ回路を動作させないようにしたことにより、短い期間でのインバータ回路の再起動を防止し、半導体スイッチング素子への過負荷防止を行うことができる。
【００１８】
第８の発明は、特に、第４の発明において、操作部に記憶媒体を設け、記憶媒体に加熱コイルの未接続時にインバータが停止した状態を記憶させておき、電源の供給が停止した場合にも表示部に表示を行うように動作することにより、組み立て時もしくはサービス対応時の電源供給が停止した場合にでも、再度電源を供給することで過去の異常状態を見ることができ、同時に、短い期間でのインバータ回路の再起動を防止し、半導体スイッチング素子への過負荷防止を行うことができるものである。
【００１９】
以下、本発明の実施の形態について、図面を参照しながら説明する。なお、この実施の形態によって本発明が限定されるものではない。
【００２０】
（実施の形態１）
図１、図２は、本発明の実施の形態１における誘導加熱装置を示すものである。
【００２１】
図１において、交流電源２と、交流電源２を半波整流する整流器３と、整流器３に並列に接続される電源平滑用コンデンサ４を有する直流電源回路部１と、直流電源回路部１に並列に接続されるチョークコイル５と第１の半導体スイッチング素子１０の直列体と、第１の半導体スイッチング素子１０に並列に接続される加熱コイル９と第２のコンデンサ７の直列体と、加熱コイル９に並列に接続される第２の半導体スイッチング素子１１と第３のコンデンサ８の直列体と、加熱コイル９に並列に接続される第１のコンデンサ６とを有するインバータ回路と、交流電源２から供給される電流を検出する入力電流検出手段１２と、第１の半導体スイッチング素子１０のエミッタ−コレクタ間電圧を検出する電圧検出手段１３と、第１、第２の半導体スイッチング素子１０、１１を駆動する制御手段１４と、電力命令値を前記制御手段１４に出力する操作部１５とを備えている。そして、制御手段１４は、所定の駆動信号出力時に入力電流検出手段１２の出力信号値と、第１の半導体スイッチング素子のエミッタ−コレクタ間電圧を検出する電圧検出手段１３の出力信号値により、加熱コイル９の未接続状態を判断し、加熱コイル９が未接続状態であると判断した場合には、インバータ回路の動作を停止させる構成としている。
【００２２】
本実施の形態では、第１、第２の半導体スイッチング素子１０、１１は、順方向に導通するＩＧＢＴとこれに逆並列に接続したダイオードで記載しているが、ＭＯＳＦＥＴのように素子内部にダイオードを構成した素子を用いても問題はない。なお、第１、第２の半導体スイッチング素子１０、１１の位置は逆であってもよい。
【００２３】
また、インバータ回路の電力制御は、操作部１５からの電力指令値と、交流電源２から供給される電流を検出する入力電流検出手段１２からの出力信号とを制御手段１４にて比較し、電力指令値に応じて一定制御するよう制御手段１４にて、第１、第２の半導体スイッチング素子１０、１１に所定の駆動信号を与えるように構成されている。
【００２４】
さらに、インバータ回路の起動時には、第１の半導体スイッチング素子１０の駆動信号をある最小値から徐々にオン時間を増加させていくと、それに伴い交流電源２から供給される電流も徐々に増加していき、入力電流検出手段１２の出力信号も増加していく。そして、操作部１５からの電力指令値に応じたオン時間まで動作すると、交流電源２から供給される電流も安定し、電力一定制御を行う構成としている。
【００２５】
また、制御手段１４は、第１の半導体素子のエミッタ−コレクタ間電圧を検知する電圧検出手段１３の出力信号を検知し、第１の半導体スイッチング素子１０に規定以上の電圧がかからないように監視し、規定以上の電圧がかかりそうな場合には、それ以上オン時間を増加させないような制御を行う構成としている。
【００２６】
上記のような構成において、インバータ回路の起動時に、制御手段１４は第１、第２の半導体スイッチング素子１０、１１のどちらかが所定のオン時間に到達したとき、入力電流検出手段１２の出力信号がある所定値１以上であり、かつ第１の半導体スイッチング素子１０のエミッタ−コレクタ間電圧を検出する電圧検出手段１３の出力信号がある所定値２以上であれば、加熱コイル９が未接続と判断して、第１、第２の半導体スイッチング素子１０、１１の駆動を停止する。
【００２７】
逆に、入力電流検出手段１２の出力信号がある所定値１未満、あるいは、第１の半導体スイッチング素子１０のエミッタ−コレクタ間電圧を検出する電圧検出手段１３の出力信号が所定値２未満であれば、通常動作を行うように動作する。すなわち、図２に示すように、入力電流検出手段１２の出力信値と、第１の半導体スイッチング素子１０のエミッタ−コレクタ間電圧を検出する電圧検出手段１３の出力信号値が共に、加熱コイル未接続検知エリア内であれば、加熱コイル未接続と判断する。
【００２８】
以上のように、本実施の形態では、元来、インバータ回路の電力一定制御用に構成される入力電流検出手段１２と、第１の半導体スイッチング素子１０の過電圧を防止するために構成される第１の半導体スイッチング素子１０のエミッタ−コレクタ間電圧を検出する電圧検出手段１３を用いることで、部品を共有できコスト的に安価にインバータ回路を安全に停止させる誘導加熱装置を実現できる。
【００２９】
さらに、第１の半導体スイッチング素子１０がある最小の駆動信号で駆動しているときに、加熱コイル９の未接続状態を判定することにより、交流電源２の電圧が高い場合においても半導体スイッチング素子１０を過負荷状態にすることなく、加熱コイル９の未接続状態を検出することができる。
【００３０】
（実施の形態２）
図３、図４は、本発明の実施の形態２における誘導加熱装置を示すものである。実施の形態１と同一要素については同一符号を付してその説明を省略する。
【００３１】
本発明の形態では、交流電源２の電圧を検出する電源電圧検知手段１６を備え、制御手段１４は、加熱コイル９の未接続状態の検知に用いる、入力電流検出手段１２の出力信号値の判定値と、半導体スイッチング素子１０のエミッタ−コレクタ間電圧を検出する電圧検出手段１３の出力信号値の判定値を、前記電源電圧検知手段１６により検知した電圧に応じて変更するものである。他の構成は、実施の形態１と同様である。
【００３２】
本実施の形態では、図４に示すように、加熱コイル９の未接続状態を検出するために用いる、入力電流検出手段１２からの出力信号を評価するための所定値１と、第１の半導体スイッチング素子１０のエミッタ−コレクタ間電圧を検出する電圧検出手段１３からの出力信号を評価するための所定値２を、電源電圧検出手段１６からの出力信号により、補正を行う。
【００３３】
上記のような構成をすることにより、交流電源２の電圧が不安定な場合においても、その変化分に応じた補正を行うことにより、加熱コイル９の未接続状態を精度良く検出することができる。
【００３４】
（実施の形態３）
図５は、本発明の実施の形態３における誘導加熱装置の加熱コイル未接続検出処理の概要を示すものである。構成は実施の形態２と同様であるのでその説明を省略する。
【００３５】
本実施の形態では、制御手段１４は、加熱コイル９の未接続状態を検知するときの、駆動信号出力の大きさを、電源電圧検知手段１６により検知した電圧に応じて変更するようにしたものである。図に示すように、加熱コイル９の未接続状態の検出タイミングを、交流電源２の電圧により変更する。すなわち、加熱コイル９の未接続状態を判定する第１のスイッチング素子１０の駆動時間を、電源電圧検出手段１６の出力信号により補正する。
【００３６】
上記のような構成をすることにより、交流電源２の電圧が不安定な場合においても、その変化分に応じた補正を行うことにより、加熱コイル９の未接続状態を精度良く検出し、インバータ回路を安全に停止させることができる。
【００３７】
（実施の形態４）
図６は、本発明の実施の形態４における誘導加熱装置を示すものである。実施の形態１、２と同一要素については同一符号を付してその説明を省略する。
【００３８】
本発明の形態では、操作部１５に表示部１７を設け、制御手段１４が加熱コイル９の未接続によってインバータ回路を停止させた場合に、表示部１７に表示を行うように動作するようにしたものである。他の構成は、実施の形態２と同様である。
【００３９】
上記のように、本実施の形態によれば、製造組み立て時及びサービス対応時での加熱コイル９の接続状態によるインバータ回路停止動作を表示部１７に表示を行うことにより、視覚的に分かりやすいものである。
【００４０】
（実施の形態５）
図７は、本発明の実施の形態５における誘導加熱装置を示すものである。実施の形態１、２、４と同一要素については同一符号を付してその説明を省略する。
【００４１】
本実施の形態では、操作部１５にメロディ、ブザーなどの報知音を発生させる発音手段１８を設けたものである。そして、制御手段１４が加熱コイル９の未接続状態を判断してインバータ回路を停止させた場合に、発音手段１８がメロディやブザーなどの報知音を発生するように動作する。他の構成は、実施の形態２と同様である。
【００４２】
上記のように、本実施の形態によれば、製造組み立て時及びサービス対応時での加熱コイル９の接続状態によるインバータ回路停止動作を発音手段１８が報知音を発生することにより、聴覚的に分かりやすいものである。
【００４３】
（実施の形態６）
図８は、本発明の実施の形態６における誘導加熱装置を示すものである。実施の形態１、２、４、５と同一要素については同一符号を付してその説明を省略する。
【００４４】
本実施の形態では、操作部１５は、加熱開始キー１９と加熱停止キー２０を有し、加熱コイル９の未接続によってインバータ回路を停止させた場合に、前記加熱停止キー２０を押した後、前記加熱開始キー１９を押さない限り再度インバータ回路を動作させないようにしたものである。なお、加熱開始キー１９が押された場合に、制御手段１４が、第１、第２の半導体スイッチング素子１０、１１の駆動を開始する動作を行い、加熱停止キー２０が押された場合に、制御手段１４が、第１、第２の半導体スイッチング素子１０、１１の駆動を停止する動作を行う。他の構成は、実施の形態２と同様である。
【００４５】
上記の構成において、加熱コイル９が未接続状態の場合に、加熱開始キー１９が押され、制御手段１４が加熱コイル未接続状態と判断し、第１、第２の半導体スイッチング素子１０、１１の駆動を停止させたとき、制御手段１４は、加熱停止キー２０を押した後、加熱開始キー１９を押さない限り、第１、第２の半導体スイッチング素子１０、１１の駆動を行わないように動作する。
【００４６】
上記のように、本実施の形態によれば、加熱コイル９の接続状態によるインバータ回路が停止したとき、操作部１５の加熱停止キー２０を押した後、再度加熱開始キー１９を押さない限り、再度インバータ回路を起動させないように動作することにより、加熱コイル９の未接続状態での起動動作を繰り返し行うことを防止し、半導体スイッチング素子への過負荷防止を行うことができる。
【００４７】
（実施の形態７）
図９は、本発明の実施の形態７における誘導加熱装置を示すものである。実施の形態１、２、４、５、６と同一要素については同一符号を付してその説明を省略する。
【００４８】
本実施の形態では、操作部１５に電源スイッチ２１を設け、制御手段１４が加熱コイル９の未接続状態を検知し、第１、第２の半導体スイッチング素子１０、１１の駆動を停止させたとき、電源スイッチ２１を一度オフしない限り、制御手段１４は再度第１、第２の半導体スイッチング素子１０、１１の駆動を開始しないように動作するものである。他の構成は、実施の形態２と同様である。
【００４９】
上記のように、本実施の形態によれば、短い期間でのインバータ回路の再起動を防止し、半導体スイッチング素子への過負荷防止を行うことができる。
【００５０】
（実施の形態８）
図１０は、本発明の実施の形態８における誘導加熱装置を示すものである。実施の形態１、２、４、５、６、７と同一要素については同一符号を付してその説明を省略する。
【００５１】
本実施の形態では、操作部１５にＲＡＭなどの記憶媒体２２を設け、記憶媒体２２に加熱コイル９の未接続による第１、第２の半導体スイッチング素子１０、１１の駆動停止状態を記憶させておき、電源の供給が停止した場合にも表示部１７に表示を行うように動作するものである。すなわち、電源の供給が停止した場合において、表示部１７の表示が消えた場合でも、再度電源の供給が開始されれば表示部１７に再度表示を行うように動作する。他の構成は、実施の形態２と同様である。
【００５２】
上記のように、本実施の形態によれば、製造組み立て時あるいはサービス時において電源供給が停止しても、再度電源を供給することにより、過去の加熱コイル９の未接続による第１、第２の半導体スイッチング素子１０、１１の駆動停止状態を確認することができる。同時に、加熱コイル９の未接続状態での起動動作を短時間に繰り返すことを防止し、半導体スイッチング素子への過負荷防止を行うことができる。
【産業上の利用可能性】
【００５３】
以上のように、本発明にかかる誘導加熱装置は、交流電源の電圧が高い場合においても加熱コイル未接続状態を検出し、インバータ回路を安全に停止させることができるので、加熱調理器としてはもちろんのこと、各種の加熱装置として適用することができる。
【図面の簡単な説明】
【００５４】
【図１】本発明の実施の形態１における誘導加熱装置を示す回路図
【図２】同誘導加熱装置のコイル未接続状態での動作を示す説明図
【図３】本発明の実施の形態２における誘導加熱装置を示す回路図
【図４】同誘導加熱装置のコイル未接続状態での動作を示す説明図
【図５】本発明の実施の形態３における誘導加熱装置のコイル未接続状態での動作を示す説明図
【図６】本発明の実施の形態４における誘導加熱装置を示すブロック図
【図７】本発明の実施の形態５における誘導加熱装置を示すブロック図
【図８】本発明の実施の形態６における誘導加熱装置を示すブロック図
【図９】本発明の実施の形態７における誘導加熱装置を示すブロック図
【図１０】本発明の実施の形態８における誘導加熱装置を示すブロック図
【図１１】従来における加熱調理器を示す回路図
【図１２】同加熱調理器のコイル未接続状態での動作を示す説明図
【図１３】同加熱調理器の入力電圧が高い場合のコイル未接続状態での動作を示す説明図
【符号の説明】
【００５５】
１  直流電源回路部
２  交流電源
３  整流器
４  平滑用コンデンサ
５  チョークコイル
６  第１のコンデンサ
７  第２のコンデンサ
８  第３のコンデンサ
９  加熱コイル
１０  第１の半導体スイッチング素子
１１  第２の半導体スイッチング素子
１２  入力電流検出手段
１３  エミッタ−コレクタ間の電圧検出手段
１４  制御手段
１５  操作部
１６  電源電圧検出手段
１７  表示部
１８  発音手段
１９  加熱開始キー
２０  加熱停止キー
２１  電源スイッチ
２２  記憶媒体
【図１】
2007095533.tif 000003
【図２】
2007095533.tif 000004
【図３】
2007095533.tif 000005
【図４】
2007095533.tif 000006
【図５】
2007095533.tif 000007
【図６】
2007095533.tif 000008
【図７】
2007095533.tif 000009
【図８】
2007095533.tif 000010
【図９】
2007095533.tif 000011
【図１０】
2007095533.tif 000012
【図１１】
2007095533.tif 000013
【図１２】
2007095533.tif 000014
【図１３】
2007095533.tif 000015